(57)【要約】【課題】サーバーやポット、鍋等の物品を確実に挟着固定でき、しかも挿入も脱抜も簡単で、さらにもし飲食物が付着した場合にても簡単に分解掃除できる挟着固定具を開発する。しかも、ある程度サイズの異なるサーバーやポット、鍋等も確実に挟着固定できる挟着固定具とする。【課題を解決するための手段】２以上の挟着腕から成り、夫々の挟着腕が弾性を有するアームと、基部と可動部からなる挾着用端部から構成され、アームと挾着用端部、基部と可動部が磁力により固定され、可動部にローラーが枢着されていることを特徴とする挾着固定具を提供する。【選択図】        図１
2006325626.tif 000002
【特許請求の範囲】
【請求項１】
食器、調理器具、ボトル、文房具、雑貨、軽量の工具類を挟着固定する挾着固定具であって、２以上の挟着腕から成り、夫々の挟着腕がアームと挾着用端部から構成され、アームと挾着用端部が磁力により固定されており、挾着用端部の被挾着物との当接部分に挾着用端部の一部に回動自在に枢着されたローラーが設けられていることを特徴とする挾着固定具。
【請求項２】
挾着用端部が基部と可動部から構成され、基部はアームに磁力により固定されており、可動部は基部に対して運動可能な状態で磁力により仮固定されており、可動部に回動自在に枢着されたローラーが設けられていることを特徴とする請求項１に記載の挾着固定具。
【請求項３】
可動部に補助ローラーが設けられており、該補助ローラーが基部に設けられたガイド面を転動することにより基部と可動部の相対的運動を安定的に行えるように構成されていることを特徴とする請求項２に記載の挾着固定具。
【請求項４】
アームの挾着用端部に固定されていない方の端部が磁力により壁面や天井面その他の固定面に固定されていることを特徴とする請求項１あるいは請求項２あるいは請求項３に記載の挟着固定具。
【発明の詳細な説明】
【技術分野】
【０００１】
本発明は、食器、調理器具、ボトル、文房具、雑貨、軽量の工具類を挟着固定する挾着固定具であって、２以上の挟着腕から成り、夫々の挟着腕が弾性を有するアームと挾着用端部から構成され、アームと挾着用端部が磁力により固定されており、挾着用端部の被挾着物との当接部分に挾着用端部の一部に回動自在に枢着されたローラーが設けられていることを特徴とする挾着固定具である。
【０００２】
さらに詳しくは、挾着用端部が基部と可動部から構成され、基部はアームに磁力により固定されており、可動部は基部に対して運動可能な状態で磁力により仮固定されており、可動部に回動自在に枢着されたローラーが設けられていることを特徴とする挾着固定具である。
【０００３】
またさらに詳しくは、可動部に補助ローラーが設けられており、該補助ローラーが基部に設けられたガイド面を転動することにより基部と可動部の相対的運動を安定的に行えるように構成されていることを特徴とする挾着固定具である。
【背景技術】
【０００４】
ホテルや各種式場、あるいは鉄道や航空機等の乗り物の中で、飲食物や身の回り品等を提供・販売するワゴンサービスは、現在では普通に見られるサービス行為となっている。そして、ワゴンサービスにて提供・販売される物品の中には、コーヒーや紅茶、緑茶等の温かい飲物も頻繁に見られる。また、ホテルや各種式場においては、温かいみそ汁やスープ等も提供されることが多い。
【０００５】
コーヒーや紅茶、緑茶等の温かい飲物は、鉄道や航空機等の乗り物の中では電気式の保温ポット（電気式の魔法瓶）に入れて保温状態にて提供・販売されるケースも多いが、ホテルや各種式場では、風情や格式のない電気式の保温ポットは嫌われる傾向にある。また、電気式の保温ポットに飲物を入れた場合にはどうしても味が変わるため、この点も採用されない原因となっている。また、みそ汁やスープ等には電気式の保温ポットは使用できない。
【０００６】
したがって、ホテルや各種式場では、ワゴンに電池あるいは他の方法から熱源を得る保温プレートを搭載し、該保温プレートの上にコーヒーや紅茶、緑茶等の温かい飲物を入れたサーバーやポットを載置して提供・販売するということを行っている。また、みそ汁やスープ等の入った鍋も、上記保温プレートに載置した状態でワゴンで運ばれる。
【０００７】
しかるに、ワゴンサービスにおいては、テーブル等の間を縫って複雑にワゴンを移動させなければならないため、ワゴンには各方向の力がランダムに加わるので、保温プレートに載置したサーバーやポット、鍋等が少しずつ移動し、極端な場合には保温プレートから外れてワゴンから落下する危険がある。
【０００８】
このような危険を防止するために、ワゴンサービスにおいて、保温プレートに載置したサーバーやポット、鍋等を仮固定する器具の開発が望まれている。すなわち、サーバーやポット、鍋等を簡単に固定でき、また簡単に脱抜できる固定具をワゴンに装着することにより、保温プレートに載置したサーバーやポット、鍋等が移動したり落下したりする心配がなくワゴンサービスを行える、そのための固定具の開発が望まれているものである。
【０００９】
簡単に固定でき、また簡単に脱抜できるという点からすれば、固定具にローラーを備えることにより、サーバーやポット、鍋等を固定具に挿入あるいは脱抜することが容易になると考えられる。しかるに、一対のローラーを備えた挾着用部品の間に凸部を挟着固定する、ローラーキャッチ錠と呼称される挾着固定具は従来から存在した。
【００１０】
ローラーキャッチ錠ｒｃの１例を図１８ａ、図１８ｂに示す。ローラーキャッチ錠ｒｃは、家具類等のドアｄの裏面に固着される凸部ｔと、家具類等の本体ｂ側に固着される受部ｃから構成されており、凸部ｔは菱型の先端部ｔａと板状の支部ｔｂが一体として構成されている。また、受部ｃは箱型の本体ｃ１と平板状の取付部ｃ２が一体として構成され、本体ｃ１からは回動自在のアームａ１、ａ２が突出され、アームａ１の先端にはローラーｒ１が枢着され、アームａ２の先端にはローラーｒ２が枢着されている。アームａ１、ａ２は本体ｃ１内の図示しないバネの作用により内側に付勢されていて、ローラーｒ１、ｒ２は当接された状態にある。
【００１１】
図１８の状態でドアｄを閉めると凸部ｔはｘ１方向に移動し、先端部ｔａがローラーｒ１、ｒ２の間に挿入され、アームａ１はｙ１方向に、アームａ２はｙ２方向に夫々回動される。先端部ｔａが完全にローラーｒ１、ｒ２の間を通過すると、図１８ｂの状態となり、凸部ｔの支部ｔｂがローラーｒ１、ｒ２に挾着固定され、凸部ｔが固着されているドアｄも閉状態にて固定される。この状態で、アームａ１、ａ２は本体ｃ１内の図示しないバネの作用により内側に付勢されているので、固定状態は安定的に保持される。
【００１２】
この状態で、ドアｄを開く（方向ｘ２）と、ローラーｒ１、ｒ２間を先端部ｔａが通過することによりアームａ１はｙ１方向に、アームａ２はｙ２方向に回動して挟着状態が解除される。このようにして、ローラーキャッチ錠ｒｃの状態は、再び図１８ａに示す状態となる。このようなローラーキャッチ錠ｒｃは、下記非特許文献１に示すように公知技術で、従来から主として家具類のドアの固定に多く用いられているものである。
【００１３】
しかしながら、上記構成のローラーキャッチ錠ｒｃは、ごく幅の狭い凸部ｔを挟着固定するものであって、サーバーやポット、鍋等のある程度の幅を有している物品を挟着固定することはできない。また、もしサイズを大きくして挟着固定できたとしても、サーバーやポット、鍋等に入れられた飲食物がワゴンの移動や振動によりこぼれることも考えられるが、これにより飲食物がローラーキャッチ錠ｒｃに付着した場合には、飲食物が構成の細部にまで浸入し、非衛生的であるし、分解掃除にも多大な手間を要することとなる。
【００１４】
したがって、サーバーやポット、鍋等のサイズの物品を確実に挟着固定でき、しかもサーバーやポット、鍋等の挿入も脱抜も簡単で、さらにもし飲食物が付着した場合にても簡単に分解掃除できる挟着固定具が開発されれば、ワゴンサービスにおいては理想的な挟着固定具となるということが言い得るのである。
【非特許文献１】山口安製作所、”ＹＣ−１６ローラーキャッチ”、[online]、２００３年９月２４日、山口安製作所、[２００５年５月１２日検索] 、インターネット＜URL:http://www.yamaichinet.co.jp/p_showitem.php?im_id=141
【発明の開示】
【発明が解決しようとする課題】
【００１５】
叙上のような次第から、本発明の課題を以下のとおりに設定した。
＜課題１＞
サーバーやポット、鍋等のサイズの物品を確実に挟着固定でき、しかもサーバーやポット、鍋等の挿入も脱抜も簡単で、さらにもし飲食物が付着した場合にても簡単に分解掃除できる挟着固定具を開発する。
＜課題２＞
ある程度サイズの異なるサーバーやポット、鍋等も確実に挟着固定できる挟着固定具とする。
【課題を解決するための手段】
【００１６】
本発明は、上記課題を解決するためになされたものであって、以下に示す解決手段を提供するものである。
＜解決手段１＞
食器、調理器具、ボトル、文房具、雑貨、軽量の工具類を挟着固定する挾着固定具であって、２以上の挟着腕から成り、夫々の挟着腕が弾性を有するアームと挾着用端部から構成され、アームと挾着用端部が磁力により固定されており、挾着用端部の被挾着物との当接部分に挾着用端部の一部に回動自在に枢着されたローラーが設けられていることを特徴とする挾着固定具。
＜解決手段２＞
挾着用端部が基部と可動部から構成され、基部はアームに磁力により固定されており、可動部は基部に対して運動可能な状態で磁力により仮固定されており、可動部に回動自在に枢着されたローラーが設けられていることを特徴とする解決手段１に記載の挾着固定具。
＜解決手段３＞
可動部に補助ローラーが設けられており、該補助ローラーが基部に設けられたガイド面を転動することにより基部と可動部の相対的運動を安定的に行えるように構成されていることを特徴とする解決手段２に記載の挾着固定具。
＜解決手段４＞
アームの挾着用端部に固定されていない方の端部が磁力により壁面や天井面その他の固定面に固定されていることを特徴とする解決手段１あるいは解決手段２あるいは解決手段３に記載の挟着固定具。
【発明の効果】
【００１７】
本発明の解決手段１の発明によれば、食器、調理器具、ボトル、文房具、雑貨、軽量の工具類を挟着固定する挾着固定具であって、２以上の挟着腕から成り、夫々の挟着腕が弾性を有するアームと挾着用端部から構成されているので、一対のアームの間隔を調整することにより、各種のサイズの被挾着物を挾着固定できる。また、被挾着物のある程度のサイズの差に対しては、アームの弾性によって対応できる。したがって、被挾着物のサイズに関して広範囲の対応能力がある。
【００１８】
同じく本発明の解決手段１の発明によれば、アームと挾着用端部が磁力により固定されているので、アームと挾着用端部の分離が極めて簡単であり、分解掃除が楽に行える。また、アームと挾着用端部の組立ても同じく簡単である。したがって、飲食物を扱うワゴンサービス等には最適の挾着用固定具といえる。
【００１９】
さらに、本発明の解決手段１の発明によれば、挾着用端部の被挾着物との当接部分に挾着用端部の一部に回動自在に枢着されたローラーが設けられているので、被挾着物を一対の挾着用端部に挿入することも、また被挾着物を一対の挾着用端部から脱抜することも極めて楽に行うことができる。すなわち、被挾着物の表面にローラーが当接しつつ転動するため、挿入、脱抜が簡単に行えるものである。
【００２０】
次に、本発明の解決手段２の発明によれば、挾着用端部が基部と可動部から構成され、基部はアームに磁力により固定されており、可動部は基部に対して運動可能な状態で磁力により仮固定されており、可動部に回動自在に枢着されたローラーが設けられているので、被挾着物の挿入あるいは脱抜の際に可動部が基部に対して相対的に運動するところから、挿入あるいは脱抜がさらに円滑に行える。
【００２１】
また、同じく本発明の解決手段２の発明によれば、基部はアームに磁力により固定されており、可動部は基部に対して運動可能な状態で磁力により仮固定されているので、アームと基部と可動部を夫々簡単に分解し、また組立てることができ、分解掃除をさらに楽にかつ徹底して行えるので、非常に衛生的である。
【００２２】
次に、本発明の解決手段３の発明によれば、可動部に補助ローラーが設けられており、該補助ローラーが基部に設けられたガイド面を転動することにより基部と可動部の相対的運動を安定的に行えるように構成されているので、被挟着物の挿入や脱抜の際にも基部から可動部が外れたり、あるいは基部と可動部の相対的運動に狂いが生じたりすることがなく、被挟着物の挿入や脱抜をある程度乱暴に行っても基部と可動部の相対的運動は円滑で、安定的に挟着固定をなし得るものである。
【００２３】
次に、本発明の解決手段４の発明によれば、アームの挾着用端部に固定されていない方の端部が磁力により壁面や天井面その他の固定面に固定されているので、アームそのものも固定面から簡単に分離することが可能で、分解掃除がさらに徹底して行える。また、各種のサイズや形態のアームを簡単に交換して用いることができるので、被挟着物のサイズや形態に関してさらに適用範囲が広がるものである。
【発明を実施するための最良の形態】
【００２４】
本発明を実施するための最良の形態を、以下に、図面を参照しながら詳細に説明する。なお、以下に説明する実施例１は、解決手段４に記載の発明の１実施例である。
【実施例１】
【００２５】
＜実施例１の構成＞
図１は本発明の挟着固定具Ａ、Ｂ，Ｃを装着したワゴンサービス用のワゴンＷである。ワゴンＷは３段構成で、最下段Ｗ１は扉付の収納庫となっており、最上段Ｗ３にはコーヒーカップＣＣやドリンク類のグラスＤＧが載置されている。そして、中段Ｗ２の天井Ｗ２ｓに本発明の挟着固定具Ａ、Ｂ、Ｃが装着されている。
【００２６】
図２ａは、中段Ｗ２の平面図で、Ｗ２ｆは中段Ｗ２の床であり、床Ｗ２ｆには電池式の保温プレートＨＰ１、ＨＰ２、ＨＰ３が３角形状に載置されている。Ｓ１は保温プレートＨＰ１上に載置された飲物用のサーバー、Ｓ２は保温プレートＨＰ２上に載置された飲物用のサーバー、Ｐは保温プレートＨＰ３上に載置された鍋で、スープやみそ汁を供する。
【００２７】
図２ｂは最上段Ｗ３（図１参照）の床Ｗ３ｆの底面図で、床Ｗ３ｆはまた中段Ｗ２の天井Ｗ２ｓにあたる。天井Ｗ２ｓには、図２ｂのように三角形状に実施例１の挟着固定具Ａ、Ｂ、Ｃが配設されている。挟着固定具ＡはサーバーＳ１のくびれ部Ｓ１ａを挟着した状態で、挟着固定具ＢはサーバーＳ２のくびれ部Ｓ２ａを挟着した状態で、挟着固定具Ｃは鍋Ｐのくびれ部Ｐａを挟着した状態で、夫々示してある。
【００２８】
挟着固定具Ａは、挟着腕Ａａと挟着腕Ａｂが一対として成る。挟着腕Ａａは天井Ｗ２ｓに磁力により固定されたアームＡ１の先端に挾着用端部Ａ２が磁力により固定され、挟着腕Ａｂは天井Ｗ２ｓに磁力により固定されたアームＡ３の先端に挾着用端部Ａ４が磁力により固定されて構成されており、挟着腕Ａａと挟着腕Ａｂは左右対称の構成となっている。
【００２９】
挟着固定具Ｂは、挟着腕Ｂａと挟着腕Ｂｂが一対として成る。挟着腕Ｂａは天井Ｗ２ｓに磁力により固定されたアームＢ１の先端に挾着用端部Ｂ２が磁力により固定され、挟着腕Ｂｂは天井Ｗ２ｓに磁力により固定されたアームＢ３の先端に挾着用端部Ｂ４が磁力により固定されて構成されており、挟着腕Ｂａと挟着腕Ｂｂは左右対称の構成となっている。
【００３０】
挟着固定具Ｃは、挟着腕Ｃａと挟着腕Ｃｂが一対として成る。挟着腕Ｃａは天井Ｗ２ｓに磁力により固定されたアームＣ１の先端に挾着用端部Ｃ２が磁力により固定され、挟着腕Ｃｂは天井Ｗ２ｓに磁力により固定されたアームＣ３の先端に挾着用端部Ｃ４が磁力により固定されて構成されており、挟着腕Ｃａと挟着腕Ｃｂは左右対称の構成となっている。
【００３１】
挟着固定具Ａ、Ｂ，Ｃは略同一の構成であり、特に、挟着固定具Ａ、Ｂは完全に同一の構成である。挟着固定具Ｃは挟着固定具Ａ、Ｂに比較してアームＣ１、Ｃ３が若干長く、また挾着用端部Ｃ２、Ｃ４間の距離も若干大であるが、挾着用端部Ｃ２の構成は、挾着用端部Ａ２あるいは挾着用端部Ｂ２の構成と、挾着用端部Ｃ４の構成は、挾着用端部Ａ４あるいは挾着用端部Ｂ４の構成と全く同一である。したがって、以下には挟着固定具Ａの構成のみを詳細に説明する。
【００３２】
挟着固定具Ａにおいては、挟着腕ＡａのアームＡ１と挟着腕ＡｂのアームＡ３は左右対称、挾着用端部Ａ２と挾着用端部Ａ４も左右対称の構成となっている。図３ａは挾着用端部Ａ２と挾着用端部Ａ４の構成を示す平面図、図３ｂは挾着用端部Ａ２と挾着用端部Ａ４の構成を示す正面図、図４は挾着用端部Ａ２と挾着用端部Ａ４の構成を示す外観斜視図であり、図５は挟着腕Ａａの組付構成を示す分解立体図である。
【００３３】
図５に示すように、アームＡ１は湾曲した板状の本体１と本体１の下部に本体１と一体として垂直に固着された正方形状の取付板１１、本体１の上部に本体１と一体として水平に固着された正方形状の取付板１２から構成されており、本体１、取付板１１、取付板１２とも材質はステンレス製で、本体１は弾性を有し板バネとしての機能を持っている。また、取付板１１には円孔１１ａ、１１ｂ、１１ｃ、１１ｄ、１１ｅがサイコロの５の目の配置に穿設され、取付板１２には円孔１２ａ、１２ｂ、１２ｃ、１２ｄ、１２ｅがサイコロの５の目の配置に穿設されている。アームＡ３の構成は詳細には図示しないが、アームＡ１の構成と左右対称となっており、アームＡ３も同じくステンレス製で、本体４は板バネとして機能する。
【００３４】
挾着用端部Ａ２は、図３ａ、図３ｂ、図４、図５に示すように、基部２と可動部３から構成されている。また、挾着用端部Ａ４は、図３ａ、図３ｂ、図４に示すように、基部５と可動部６から構成されている。基部２と基部５は左右対称に構成され、可動部４と可動部６も左右対称に構成されている。
【００３５】
図５と図６ａ〜図６ｄ、図７ａ、図７ｂに基部２の構成を示す。図５にては、基部２は本体２０と上蓋体２４、下蓋体２５を分解した状態で示してある。また、図６ａは基部２の平面図、図６ｂは基部２の上蓋体２４を取り除いた状態の平面図、図６ｃは基部２の正面図、図６ｄは基部２の背面図、図７ａは基部２の左側面図、図７ｂは基部２の右側面図である。
【００３６】
基部２は本体２０の上面に上蓋体２４が固着され、本体２０の下面に下蓋体２５が固着されて構成されている。上蓋体２４と下蓋体２５は共に正面端と背面端が丸められた長方形板状で、上蓋体２４の下面は水平面であるが上面には丸みが付けられ、下蓋体２５の上面は水平面であるが下面に丸みが付けられている。また、上蓋体２４の左側面の中央部分には長方形状の切欠部２４ａが刻設されている。
【００３７】
本体２０は基板２１と基板２１の右側面に固着されたガイド面２２より構成されている。基板２１は平面形状が極めて緩いＳ字状のカーブを描いた板状で、中央から後端部にかけての３分の２程度が磁性体からなる磁性体部分２１ａとなり、前端部３分の１程度が非磁性体からなる非磁性体部分２１ｂとなり、磁性体部分２１ａと非磁性体部分２１ｂは一体に固着されて基板２１を構成している。
【００３８】
また、基板２１の中央部分、即ち磁性体部分２１ａの前部の左側面はやや突出した平面となり、取付部２３を構成している。取付部２３には図７ａに見るように、円筒形状の凸部２３ａ、２３ｂ、２３ｃ、２３ｄ、２３ｅが取付部２３と一体に突設されているが、その配置はアームＡ１の取付板１１に穿設された円孔１１ａ〜１１ｅ（図５参照）と同様サイコロの５の目の配置であり、かつ、図７ａに見るように、凸部２３ａは円孔１１ａに、凸部２３ｂは円孔１１ｂに、凸部２３ｃは円孔１１ｃに、凸部２３ｄは円孔１１ｄに、凸部２３ｅは円孔１１ｅに，夫々隙間なく嵌着されるように構成されている。
【００３９】
ガイド面２２は図５、図６ｂに見るように平面形状が複雑な曲線を描いており、後述の可動部３の補助ローラー３５の転動をガイドする曲面２２ａと補助ローラー３６の転動をガイドする曲面２２ｂを有している。したがって、ガイド面２２においてその形態が重要な意味を有するのは曲面２２ａと曲面２２ｂであって、ガイド面２２の他の曲面は曲面を連続させて構成するという意味しか有していない。なお、ガイド面２２は、曲面２２ａと曲面２２ｂが構成されているという点が要部であるので、その内部は空洞となっていてもかまわない。
【００４０】
基部２の本体２０の構成は上記のとおりであり、本体２０の上面即ち基板２１の上面に上蓋体２４の下面が固着され、本体２０の下面即ち基板２１の下面に下蓋体２５の上面が固着されて基部２が構成されている。
【００４１】
次に、可動部３の構成を、図５、図８ａ、図８ｂ、図８ｃ、図９ａ、図９ｂにて詳細に説明する。図８ａは可動部３の平面図であり、図８ｂは可動部３の正面図であり、図８ｃは可動部３の右側面図であり、図９ａは可動部３の左側面図であり、図９ｂは図８ａのＸ−Ｘ線拡大縦断面図である。
【００４２】
可動部３は平面形状が円弧状の基板３０の上面に２箇所の膨出部を有する上板３１が基板３０と一体に固着され、基板３０の下面に上板３１と同形の下板３２が基板３０と一体に固着されて構成されている。基板３０はステンレス製で、図８ａに見るように、その中央から後部が基部２の基板２１の磁性体部分２１ａに隙間無く当接するように構成されている。
【００４３】
さらに、基板３０には、図５、図８ｂ、図８ｃ、図９ａに見るように略長方形状の窓３０ａが穿設されている。窓３０ａは、図８ａに見るように基部２のガイド面２２の略全体が窓３０ａに挿入突出される位置に穿設されている。
【００４４】
上板３１と下板３２の間には、上板３１及び下板３２の２箇所の膨出部にローラー３３が軸３３ａにより、ローラー３３と同一直径のローラー３４が軸３４ａにより、夫々回動自在に枢着されている。ローラー３３及びローラー３４は右端部が図８ａに見るように上板３１（及び下板３２）から突出している。また、ローラー３３、３４の高さは、図８ｃに見るように、上板３１と下板３２の間隔よりやや小に構成されている。
【００４５】
また、ローラー３３の左後部には直径がローラー３３の３分の１程度の補助ローラー３５が軸３５ａにより上板３１及び下板３２の間に回動自在に枢着されている。また、ローラー３４の左前部には補助ローラー３５と同一直径の補助ローラー３６が軸３６ａにより上板３１及び下板３２の間に回動自在に枢着されている。
【００４６】
補助ローラー３５は、図８ａに見るように基部２のガイド面２２の曲面２２ａに沿って転動できる位置に、また、補助ローラー３６は、図８ａに見るように基部２のガイド面２２の曲面２２ｂに沿って転動できる位置に配設されている。補助ローラー３５、３６の高さは、図８ｃ、図９ａに見るように、基部２のガイド面２２の高さと同一である。但し、軸３５ａ、３６ａは上板３１と下板３２に枢着されているので、ローラー３３、３４の軸３３ａ、３４ａと同一の高さを有している。
【００４７】
ローラー３４が上板３１と下板３２に枢着されている状態の詳細を図９ｂに示す。上板３１の下面はローラー３４の上部で下方にやや突出した凸部３１ａを構成しており、凸部３１ａの中央には円孔３１ｂが穿設されていて、ローラー３４の軸３４ａの上端が円孔３１ｂに枢着されている。また、下板３２の上面はローラー３４の下部で上方にやや突出した凸部３２ａを構成しており、凸部３２ａの中央には円孔３２ｂが穿設されていて、ローラー３４の軸３４ａの下端が円孔３２ｂに枢着されている。
【００４８】
ローラー３４と軸３４ａは固着されているので、ローラー３４は軸３４ａによって上板３１と下板３２に枢着されている。なお、ローラー３３（図８ａ参照）もローラー３４と同様の構成で上板３１と下板３２に枢着されている。
【００４９】
補助ローラー３６が上板３１と下板３２に枢着されている状態の詳細を図９ｂに示す。上板３１の下面は補助ローラー３６の上部で下方にやや突出した凸部３１ｃを構成しており、凸部３１ｃの中央には円孔３１ｄが穿設されていて、補助ローラー３６の軸３６ａの上端が円孔３１ｄに枢着されている。また、下板３２の上面は補助ローラー３６の下部で上方にやや突出した凸部３２ｃを構成しており、凸部３２ｃの中央には円孔３２ｄが穿設されていて、補助ローラー３６の軸３６ａの下端が円孔３２ｄに枢着されている。
【００５０】
補助ローラー３６と軸３６ａは固着されているので、補助ローラー３６は軸３６ａによって上板３１と下板３２に枢着されている。なお、補助ローラー３５（図８ａ参照）も補助ローラー３４と同様の構成で上板３１と下板３２に枢着されている。
【００５１】
次に、アームＡ１がワゴンＷ（図１参照）の中段Ｗ２の天井Ｗ２ｓに固定されている状態を、図１０ａ、図１０ｂによって詳細に説明する。アームＡ１の取付板１２には、前述のように円孔１２ａ〜１２ｅがサイコロの５の目の配置で穿設されている。一方、天井Ｗ２ｓには長方形状の孔Ｗ２ｓｈが刻設されていて、孔Ｗ２ｓｈに孔Ｗ２ｓｈと同形の磁性体板１３が嵌着されている。磁性体板１３は孔Ｗ２ｓｈに固着されているが、固着方法は螺着、接着等、強固に固着できる方法であればその方法は問わない。
【００５２】
磁性体板１３の下面には、図１０ａに見るように磁性を有する円筒形状の凸部１３ａ、１３ｂ、１３ｃ、１３ｄ、１３ｅが磁性体板１３と一体に突設されており、やはりサイコロの５の目の配置で配設されている。また、凸部１３ａは円孔１２ａに、凸部１３ｂは円孔１２ｂに、凸部１３ｃは円孔１２ｃに、凸部１３ｄは円孔１２ｄに、凸部１３ｅは円孔１２ｅに、夫々過不足なく嵌着し得るように構成されている。
【００５３】
図１０ｂは凸部１３ａが円孔１２ａに、凸部１３ｂが円孔１２ｂに、凸部１３ｃが円孔１２ｃに、凸部１３ｄが円孔１２ｄに、凸部１３ｅが円孔１２ｅに嵌着され、アームＡ１がワゴンＷ（図１参照）の中段Ｗ２の天井Ｗ２ｓに固定された状態を示しているが、挟着腕ＡｂのアームＡ３（図２ｂ参照）も、同様の方法にて天井Ｗ２ｓに固定されるものである。
【００５４】
次に、挟着腕Ａｂの挾着用端部Ａ４の構成を述べる。挾着用端部Ａ４の基部５（図３ａ、図３ｂ、図４参照）の構成は前述のように挾着用端部Ａ２の基部２の構成と左右対称であるので、簡単に説明するに留める。基部５は本体５０に上蓋体５４と下蓋体５５が固着されて構成され、本体５０の基板５１は磁性体部分５１ａと非磁性体部分５１ｂから成る。
【００５５】
基板５１の右側面には右側面が正方形状の取付部５３が構成され、取付部５３には円筒形状の凸部５３ａ、５３ｂ、５３ｃ、５３ｄ、５３ｅが取付部５３と一体に突設されていて、凸部５３ａにはアーム４の円孔４１ａが、凸部５３ｂには円孔４１ｂが、凸部５３ｃには円孔４１ｃが、凸部５３ｄには円孔４１ｄが、凸部５３ｅには円孔４１ｅが、夫々嵌着され、これによってアーム４は挾着用端部Ａ４に固定されている。即ち、アーム４はステンレス製であり、取付部５３と凸部５３ａ、５３ｂ、５３ｃ、５３ｄ、５３ｅは磁性体であるので、アーム４は磁力によって取付部５３に固定されている。
【００５６】
基板５１の左側面にはガイド面５２が突設固着されているが、ガイド面５２は挟着腕Ａａのガイド面２２と完全に左右対称の構成となっている。即ち、曲面５２ａは曲面２２ａと左右対称に構成され、曲面５２ｂは曲面２２ｂと左右対称に構成されている。
【００５７】
次に可動部６は基板６０の上端に上板６１が固着され、基板６０の下端に下板６２が固着されて構成され、上板６１と下板６２の間にローラー６３、６４及び補助ローラー６５、６６が回動自在に枢着されている。基板６０はステンレス製で、中央部から後部にかけてが基部５の基板５１の磁性体部分５１ａに磁力により固定された状態にある。
【００５８】
また、基板６０には窓６０ａが穿設されており、窓６０ａには基部５のガイド面５２が挿入突出されている。ガイド面５２の曲面５２ａには補助ローラー６５が当接転動し、曲面５２ｂには補助ローラー６６が当接転動するように構成されている。
【００５９】
次に、実施例１の挟着固定具Ａの組付構成を説明するが、実施例１の挟着固定具Ａは前述のように挟着腕Ａａと挟着腕Ａｂ（図２ｂ参照）が完全に左右対称に構成されているので、挟着腕Ａａの組付構成の説明のみに留める。
【００６０】
挟着腕Ａａを組付けるには、まず、挾着用端部Ａ２を構成する基部２と可動部３を固定する。図３ａに見るように、基部２の基板２１の中央部から後端部にかけて、即ち磁性体部分２１ａに可動部３の基板３０の中央部から後端部を当接させる。基板３０はステンレス製であるので、基板３０の中央部から後端部は磁性体部分２１ａに吸着され、可動部３は基部２に磁力により固定される。
【００６１】
この際、基板３０の窓３０ａには基部２のガイド面２２が挿入突出される。ガイド面２２の曲面２２ａに可動部３の補助ローラー３５が当接し、且つガイド面２２の曲面２２ｂに可動部３の補助ローラー３６が当接するので、ガイド面２２は補助ローラー３５、３６に挟まれる形となり、これにより基部２と可動部３の相対的位置関係は一義的に決定される。すなわち、可動部３は基部２に安定的に固定されるものである。なお、挟着腕Ａｂの挾着用端部Ａ４の基部５と可動部６も同様の方法により固定される。
【００６２】
次に、挾着用端部Ａ２をアームＡ１に固定する。図７ａに見るように、挾着用端部Ａ２の基部２の左側面に設けられた取付部２３に突設された凸部２３ａをアームＡ１の取付板１１の円孔１１ａに、凸部２３ｂを円孔１１ｂに、凸部２３ｃを円孔１１ｃに、凸部２３ｄを円孔１１ｄに、凸部２３ｅを円孔１１ｅに、夫々嵌着固定する。取付部２３は磁性体部分２１ａの一部である故に磁性を有し、且つ凸部２３ａ〜２３ｅも磁性を有しているので、ステンレス製である取付板１１は取付部２３に磁力により固定され、アームＡ１は挾着用端部Ａ２に磁力により固定される。なお、挟着腕Ａｂの挾着用端部Ａ４も同様の方法によりアームＡ３に固定される。
【００６３】
最後に、挟着腕Ａａ全体をワゴンＷの中段Ｗ２の天井Ｗ２ｓに固定する。図１０ａに見るように、アームＡ１の取付板１２を天井Ｗ２ｓに固着させた磁性体板１３の直下に位置させ、取付板１２を上方（方向ｚ１）に移動させると、磁性体板１３の凸部１３ａは取付板１２の円孔１２ａに、凸部１３ｂは円孔１２ｂに、凸部１３ｃは円孔１２ｃに、凸部１３ｄは円孔１２ｄに、凸部１３ｅは円孔１２ｅに、夫々嵌着される。取付板１２はステンレス製であり、凸部１３ａ〜１３ｅは磁性体板１３同様磁性を有しているので、取付板１２は磁性体板１３に磁力により固定され、挟着腕Ａａ全体が天井Ｗ２ｓに磁力により固定される。なお、挟着腕Ａｂ全体も同様の方法によって天井Ｗ２ｓに磁力により固定される。
【００６４】
＜実施例１の作用＞
実施例１の挟着固定具Ａの作用を図１１〜図１７によって詳細に説明する。サーバーＳ１（図１参照）を挟着固定具Ａに挟着固定させる場合、サーバーＳ１のくびれ部Ｓ１ａを、挾着用端部Ａ２、Ａ４の間に挿入する（図１１の方向γ）。この際、挾着用端部Ａ２のローラー３３と挾着用端部Ａ４のローラー６３の間の距離α１は、サーバーＳ１のくびれ部Ｓ１ａの直径σよりも小に設定されている。また、アームＡ１の右端とアームＡ３の左端との間の距離をβ１とする。
【００６５】
また、挾着用端部Ａ２の可動部３の基板３０の中央部から後端部にかけては、基部２の基板２１の磁性体部分２１ａに磁力により吸着固定された状態にあり、挾着用端部Ａ４の可動部６の基板６０の中央部から後端部にかけては、基部５の基板５１の磁性体部分５１ａに磁力により吸着固定された状態にある。
【００６６】
さらに、挾着用端部Ａ２の補助ローラー３５は曲面２２ａの上端部に位置し、補助ローラー３６は曲面２２ｂの左端部に近い所に位置している。また、挾着用端部Ａ４の補助ローラー６５は曲面５２ａの上端部に位置し、補助ローラー６６は曲面５２ｂの右端部に近い所に位置している。
【００６７】
くびれ部Ｓ１ａを矢印方向（方向γ）に挿入すると、くびれ部Ｓ１ａは図１１に示すように、まずローラー３３及びローラー６３に当接する。さらにくびれ部Ｓ１ａを方向γに挿入し続けると、ローラー３３は反時計回りに、ローラー６３は時計回りに回動し、同時にくびれ部Ｓ１ａから挾着用端部Ａ２を左方向に、挾着用端部Ａ４を右方向に押圧する力が働き、距離α１、距離β１は共に拡大される。
【００６８】
この状態を示すのが図１２である。図１２において、距離α１は距離α２に、距離β１は距離β２に拡大されている。この状態になると、可動部３の下部は左方に押圧されるので、可動部３の上部は基板２１と基板３０の接点を支点にして若干時計回りに回動し、磁力によって吸着されていた基板２１の磁性体部分２１ａと基板３０の上端部に僅かの間隙が開く。同様に、可動部６の下部は右方に押圧されるので、可動部６の上部は基板５１と基板６０の接点を支点にして若干反時計回りに回動し、磁力によって吸着されていた基板５１の磁性体部分５１ａと基板６０の上端部に僅かの間隙が開く。
【００６９】
この状態で、挾着用端部Ａ２においては、補助ローラー３５は曲面２２ａを若干左下方向に転動し、補助ローラー３６は曲面２２ｂを右方向に転動する。すなわち、補助ローラー３５、３６はガイド面２２に沿って転動しつつ基部２と可動部３の相対的な回動運動が一義的に決定されるようにガイドする役割を果たしている。また、可動部３の運動が上下に外れないようにガイドする役割は、基部２の上蓋体２４と下蓋体２５（図６ｃ参照）が果たしている。
【００７０】
同様に、挾着用端部Ａ４においては、補助ローラー６５は曲面５２ａを若干右下方向に転動し、補助ローラー６６は曲面５２ｂを左方向に転動する。すなわち、補助ローラー６５、６６はガイド面５２に沿って転動しつつ基部５と可動部６の相対的な回動運動が一義的に決定されるようにガイドする役割を果たしている。また、可動部６の運動が上下に外れないようにガイドする役割は、基部５の上蓋体５４と下蓋体５５（図４参照）が果たしている。
【００７１】
また、距離β１が距離β２に拡大されたことから明らかなように、アームＡ１を左側に、アームＡ２を右側に夫々押圧する力が働くので、板バネとしての性質を有しているアームＡ１の本体１とアームＡ２の本体４は夫々内側に付勢される。したがって、アームＡ１に固定された挾着用端部Ａ２は右方向に、アームＡ３に固定された挾着用端部Ａ４は左方向に夫々付勢され、すでにローラー３３、６３にはくびれ部Ｓ１ａを挟着する力が働きはじめている。
【００７２】
この状態で、さらにくびれ部Ｓ１ａの挿入を続けると（方向γ）、図１３に示す状態となる。距離α２はさらに開いて距離α３となり、可動部３の上部はさらに時計回りに回動して基板２１と基板３０の上端部はさらに開き、可動部６の上部はさらに反時計回りに回動して基板５１と基板６０の上端部もさらに開く。補助ローラー３５は曲面２２ａに沿って、補助ローラー３６は曲面２２ｂに沿って夫々転動を続ける。また、補助ローラー６５は曲面５２ａに沿って、補助ローラー６６は曲面５２ｂに沿って夫々転動を続ける。
【００７３】
一方、距離β２は距離β３に拡大され、アームＡ１を左方向に、アームＡ３を右方向に押圧する力はさらに強くなり、本体１と本体４はさらに強く内側に付勢される。この結果として、挾着用端部Ａ２、Ａ４がくびれ部Ｓ１ａを挟着する力はさらに強まるが、ローラー３３、６３の回動作用により、くびれ部Ｓ１ａは円滑にγ方向に挿入されていく。
【００７４】
くびれ部Ｓ１ａのγ方向への挿入がさらに進むと図１４に示す状態となる。距離α３はさらに距離α４に拡大され、基板２１の上端部と基板３０の上端部との距離はさらに開き、基板５１の上端部と基板６０の上端部との距離もさらに開く。また、距離β３も距離β４に拡大される結果、挾着用端部Ａ２、Ａ４がくびれ部Ｓ１ａを挟着する力はさらに強くなる。
【００７５】
この状態では、基板３０は既に基板２１の磁性体部分２１ａから完全に分離され、基板６０も既に基板５１の磁性体部分５１ａから完全に分離されている。したがって、磁力による吸着が解除された結果、可動部３は基部２から、可動部６は基部５から脱落する危険が生じるものと思われるが、実際はそうはならない。
【００７６】
その理由は、挾着用端部Ａ２、Ａ４がくびれ部Ｓ１ａを挟着する力がこの段階ではかなり強いものとなっている結果として、くびれ部Ｓ１ａから挾着用端部Ａ２、Ａ４に及ぼす反作用も強くなり、可動部３はくびれ部Ｓ１ａによって強く左方向、つまり基部２の方向に押圧され、可動部６はくびれ部Ｓ１ａによって強く右方向、つまり基部５の方向に押圧されるので、結果として、磁力による吸着状態が解除されても、可動部３は基部２から脱落せず、可動部６は基部５から脱落しないのである。
【００７７】
この状態で、くびれ部Ｓ１ａのγ方向への挿入をさらに続けると、図１５に示すように、基板２１の上端部と基板３０の上端部との距離は最大となり、基板５１の上端部と基板６０の上端部との距離も最大となる。この状態で、ローラー３３とローラー６３の間の距離は略最大の距離であるα５となり、これはまたくびれ部Ｓ１ａの直径σ（図１１参照）に略等しい。また、この状態にて、ローラー３４、６４がくびれ部Ｓ１ａに当接する。
【００７８】
また、アームＡ１とアームＡ３の間の距離も最大の距離である距離β５に開く。ここにて、挾着用端部Ａ２，Ａ４がくびれ部Ｓ１ａを挟着する力も最大となる。したがって、可動部３の基板３０と基部２の基板２１は両者の下端部で接し、可動部６の基板６０と基部５の基板５１も両者の下端部で接するのみであるが、くびれ部Ｓ１ａからの反作用も最大となるので可動部３が基部２から、可動部６が基部５から、夫々脱落することはない。
【００７９】
また、補助ローラー３５は曲面２２ａの最下端に、補助ローラー３６は曲面２２ｂの最右端に位置するが、補助ローラー３５、３６共にガイド面２２から外れることなく、可動部３と基部２の相対位置を安定的に保つ作用を継続している。さらに、補助ローラー６５は曲面５２ａの最下端に、補助ローラー６６は曲面５２ｂの最左端に位置するが、補助ローラー６５、６６も共にガイド面５２から外れることなく、可動部６と基部５の相対位置を安定的に保つ作用を継続している。
【００８０】
さらに、この状態においては、今まで遊びの状態であったローラー３４、６４がくびれ部Ｓ１ａに当接する作用も大きい。結果として、可動部３はローラー３３，３４のくびれ部Ｓ１ａへの当接、補助ローラー３５、３６のガイド面２２への当接、そして基板３０の下端部と基板２１の下端部の当接という５点によって支えられるので、基板３０が基板２１の磁性体部分２１ａに吸着される力を完全に喪失しても、極めて安定的に基部２に対して相対的な運動を継続する。可動部６も同様の理由によって、極めて安定的に基部５に対して相対的な運動を継続する。
【００８１】
この状態からくびれ部Ｓ１ａのγ方向への挿入をさらに続けると、図１６に示す状態となる。この状態にては、可動部３の上部は左方向に回動して、可動部３の上端部と基部２の基板２１の上端部との間の距離は縮小され、可動部６の上部は右方向に回動して、可動部６の上端部と基部５の基板５１の上端部との間の距離も縮小される。補助ローラー３５、３６、６５、６６は夫々が、図１１〜図１５に示すプロセスとは逆方向に転動する。また、ローラー３４、６４はくびれ部Ｓ１ａに当接した状態でローラー３４は反時計回りに、ローラー６４は時計回りに夫々回動する。
【００８２】
ローラー３３とローラー６３の間の距離は若干縮小されてα６となる。しかしながら、アームＡ１とアームＡ３の間の距離β６は縮小されず、β６はβ５に等しい。これは、なにを意味するかといえば、挾着用端部Ａ２、Ａ４がくびれ部Ｓ１ａを挟着する力は図１５の状態から変わらないということである。したがって、可動部３を左方向に、可動部６を右方向に押圧する力は安定的に働き続けるので、可動部３の基部２に対する相対的運動、可動部６の基部５に対する相対的運動も安定的に持続される。
【００８３】
この状態でさらにくびれ部Ｓ１ａのγ方向への挿入を続けると、図１７に示す状態となる。この状態で、可動部３の基板３０の中央部から上端部は基部２の基板２１の磁性体部分２１ａに再び密着し、磁性体部分２１ａが基板３０の中央部から上端部を磁力により再び吸着固定する。また、可動部６の基板６０の中央部から上端部は基部５の基板５１の磁性体部分５１ａに再び密着し、磁性体部分５１ａが基板６０の中央部から上端部を磁力により再び吸着固定する。すなわち、基板２と可動部３の相対的位置関係及び基板５と可動部６の相対的位置関係は図１１に示す当初の状態に復元される。また、補助ローラー３５、３６、６５、６６も当初の位置に戻っている。したがって、この状態が、くびれ部Ｓ１ａの挿入が完了した状態である。
【００８４】
しかしながら、ローラー３３とローラー３４の距離α７は、距離α５、α６に較べると若干狭くなるものの、当初の距離α１に比較すると、２倍以上の距離となっている。また、アームＡ１とアームＡ３の間の距離β７は最大の距離であった距離β５、β６と略等しい。したがって、挾着用端部Ａ２、Ａ４がくびれ部Ｓ１ａを挟着する力はやはり最大の状態であり、くびれ部Ｓ１ａはローラー３３、６３、３４、６４により４点で支えられて、挾着用端部Ａ２、Ａ４により最大の挾着力を以って挾着固定されているということになる。
【００８５】
このようにして、挟着固定具ＡによってサーバーＳ１が挟着固定されている状態が、図１、図２ｂに示す状態である。挟着固定具Ｂ、Ｃの作用も挟着固定具Ａの作用と略同一である。
【００８６】
次にサーバーＳ１を挾着固定具Ａから脱抜するには、上記に説明したプロセスの逆を行う。すなわち、図１７において、サーバーＳ１のくびれ部Ｓ１ａをδ方向に引き抜く。すると、くびれ部Ｓ１ａは図１６、図１５、図１４、図１３、図１２に示す状態を辿って図１１に示す状態となる。すなわち、サーバーＳ１が挾着固定具Ａから脱抜される。挟着固定具ＢからサーバーＳ２を脱抜するプロセス、挟着固定具Ｃから鍋Ｐを脱抜するプロセスも略同様である。
【００８７】
以上に示すように、実施例１の挟着固定具Ａにおいては、ローラー３３、３４、６３、６４がくびれ部Ｓ１ａの表面を転動することにより、極めて円滑かつ安定的にサーバーＳ１を挟着固定具Ａに挿入あるいは脱抜できるものである。
【００８８】
また、補助ローラー３５、３６、６５、６６の作用によって、可動部３と基部２の相対的運動及び可動部６と基部５の相対的運動が一定に保たれるので、可動部３と基部２及び可動部６と基部５が夫々分離可能であるにもかかわらず、その運動は極めて円滑で安定性が高い。
【００８９】
また、可動部３と基部２が磁力による接触状態を喪失し、可動部６と基部５が磁力による接触状態を喪失するプロセスにおいて、丁度アームＡ１とアームＡ３の付勢力による挟着用端部Ａ２と挾着用端部Ａ４の挟着力が強く働きはじめる構成になっているので、可動部３が基部２から分離脱落することがなく、可動部６が基部からが分離脱落することもない。
【００９０】
さらに、挟着固定具Ａにおいては、天井Ｗ２ｓとアームＡ１、挾着用端部Ａ２の基部２と可動部３、天井Ｗ２ｓとアームＡ３、挾着用端部Ａ４の基部５と可動部６がすべて磁力による固定という方法を採っているので、簡単に分解でき、また簡単に組立てられるのも大きな特徴である。
【００９１】
図１に示すワゴンＷでワゴンサービスを行う場合には、ワゴンＷの揺れ等で、サーバーＳ１、Ｓ２や鍋Ｐに入れられている飲食物がこぼれたり、あるいはサービス行為、即ち飲食物を客に供する行為の際にこぼれることも多い。そのような飲食物が挟着固定具Ａ、Ｂ、Ｃに付着した際には、天井Ｗ２ｓからアームＡ１を外し、さらにアームＡ１から挾着用端部Ａ２を外し、さらに挾着用端部Ａ２の基部２と可動部３を分解して洗浄消毒することができる。また、天井Ｗ２ｓからアームＡ３を外し、さらにアームＡ３から挾着用端部Ａ４を外し、さらに挾着用端部Ａ４の基部５と可動部６を分解して洗浄消毒することができる。
【００９２】
上記の分解行程においては、ドライバー等の工具は一切必要なく、ただ磁力によって固定されている部分を手で外すだけでよい。さらに、可動部３の上板３１と下板３２、可動部６の上板６１と下板６２をある程度弾性力のある素材（例えばやや軟質の合成樹脂等）で形成しておけば、ローラー３３、３４、６３、６４、補助ローラー３５、３６、６５、６６も取り外すことができる。
【００９３】
このように、分解掃除が簡単にできるので、例えばホテルや各種式場などでも、挾着固定具Ａ、Ｂ、Ｃの分解掃除と消毒を毎朝の仕事はじめの際に必ず行うようにすれば極めて衛生的である。また、組付も、磁性体とステンレス部品を手で嵌めつけるだけなので、極めて簡単である。
【００９４】
このように、挾着固定具Ａ、Ｂ、Ｃは、確実かつ安定的に被挾着物を挟着固定でき、かつ分解掃除が簡単なので、ワゴンサービス等移動を伴う飲食物の供用現場に最適である。あるいは、調理室等においても、食器や調理器具を安定的に挟着固定するために用いることも可能である。
【実施例２】
【００９５】
図１９に実施例２の挾着固定具Ｄの外観斜視図を示す。挾着固定具Ｄは一対の挟着腕Ｄａ、Ｄｂから構成され、挟着腕ＤａはアームＤ１と挾着用端部Ｄ２から、挟着腕ＤｂはアームＤ３と挾着用端部Ｄ４から構成される。アームＤ１は、実施例１の挾着固定具ＡのアームＡ１と同一の構成であり、挾着用端部Ｄ２は、実施例１の挾着固定具Ａの挾着用端部Ａ２と同一の構成であり、アームＤ３は、実施例１の挾着固定具ＡのアームＡ３と同一の構成であり、挾着用端部Ｄ４は、実施例１の挾着固定具Ａの挾着用端部Ａ４と同一の構成である。
【００９６】
実施例１の挾着固定具Ａと実施例２の挾着固定具Ｄの違いは以下の点である。すなわち、挾着固定具Ａにおいては、アームＡ１が挾着用端部Ａ２に対して上方に延伸されるように固定されたが、挾着固定具Ｄにおいては、アームＤ１の本体７が挾着用端部Ｄ２に対して後方に延伸されるように固定される。すなわち、アームＤ１がアームＡ１を９０°後方に回転した状態にて固定される。また、挾着固定具Ａにおいては、アームＡ３が挾着用端部Ａ４に対して上方に延伸されるように固定されたが、挾着固定具Ｄにおいては、アームＤ３の本体８が挾着用端部Ｄ４に対して後方に延伸されるように固定される。すなわち、アームＤ３がアームＡ３を９０°後方に回転した状態にて固定される。
【００９７】
したがってアームＤ１の取付板７１、アームＤ３の取付板８１は共に天井ではなく壁面Ｗａに固定される。すなわち、壁面Ｗａに埋設された磁性体板１３、１３に磁力により固定される。したがって、実施例２の挟着固定具は、図１９に１例として示すように、棚Ｓｈに載置されたボトルＢｔ等の被挾着物が安定的に固定されるように用いることができるものである。
【００９８】
図２０に示すのは、ベルト状に連続させた磁性体板１４を用いた例である。磁性体板１４は、磁性を有する円筒形状の凸部Ｔがサイコロの５の目の形に並んだ凸部グループＴｇを磁性を有するベルト状の基板１４ａに連続して配設させたもので、磁性体板１４は図２０に示す状態で壁面Ｗａに埋設されている。
【００９９】
磁性体板１４を用いることにより、挾着固定具Ｄを壁面Ｗａに配設する際の自由度が飛躍的に向上する。すなわち、取付板７１、８１共に、いずれの凸部グループＴｇに嵌着固定しても良いので、挾着固定具Ｄの位置を自由に設定できる上に挾着用端部Ｄ２、Ｄ４間の距離も自由に設定できるものである。
【０１００】
したがって、磁性体板１４を用いた挾着固定具Ｄにおいては、棚Ｓｈに載置された様々なサイズの被挾着物を、挾着用端部Ｄ２、Ｄ４間の距離を被挾着物に合わせて設定するだけで任意の位置にて挾着固定でき、応用範囲が非常に幅広くなるものである。またさらに、磁性体板１４を１本だけではなく複数本壁面Ｗａに埋設することにより、様々な高さの被挾着物の挟着固定も行うことができるものである。
【産業上の利用可能性】
【０１０１】
本発明の挾着固定具は、叙上のように調理器具やボトル類のみならず、食器や文房具から軽量の工具類にいたるまで、非常に幅広い範囲の被挾着物を天井や壁面に挾着固定できる。したがって、ワゴンサービスのように移動による揺れや振動を伴う場合にはもちろん、静止状態にある被挾着物に対しても、人がぶつかったりして落下する危険を防ぐためであるとか、あるいは地震による落下防止対策のため、あるいは様々なものを天井や壁面に固定して収納するため等々、広範囲に応用が効くものである。
【図面の簡単な説明】
【０１０２】
【図１】本発明の実施例１の挾着固定具を装着したワゴンの正面図である。
【図２】（ａ）本発明の実施例１の挾着固定具を装着したワゴンの中段の平面図である。  （ｂ）本発明の実施例１の挾着固定具を装着したワゴンの中段の天井の底面図である。
【図３】（ａ）本発明の実施例１の挾着固定具の一部を省略した平面図である。（ｂ）本発明の実施例１の挾着固定具の一部を省略した正面図である。
【図４】本発明の実施例１の挾着固定具の一部を省略した外観斜視図である。
【図５】本発明の実施例１の挾着固定具の一方の挟着腕の分解立体図である。
【図６】（ａ）本発明の実施例１の挾着固定具の一方の挾着用端部の基部の平面図である。（ｂ）本発明の実施例１の挾着固定具の一方の挾着用端部の基部の一部を省略した平面図である。（ｃ）本発明の実施例１の挾着固定具の一方の挾着用端部の基部の正面図である。（ｄ）本発明の実施例１の挾着固定具の一方の挾着用端部の基部の背面図である。
【図７】（ａ）本発明の実施例１の挾着固定具の一方の挾着用端部の基部の左側面図である。（ｂ）本発明の実施例１の挾着固定具の一方の挾着用端部の基部の右側面図である。
【図８】（ａ）本発明の実施例１の挾着固定具の一方の挾着用端部の可動部の平面図である。（ｂ）本発明の実施例１の挾着固定具の一方の挾着用端部の可動部の正面図である。（ｃ）本発明の実施例１の挾着固定具の一方の挾着用端部の可動部の右側面図である。
【図９】（ａ）本発明の実施例１の挾着固定具の一方の挾着用端部の可動部の左側面図である。（ｂ）図８ａのＸ−Ｘ線拡大縦断面図である。
【図１０】（ａ）本発明の実施例１の挾着固定具の一方のアームの上端部の取付板を天井に嵌着する方法を説明する説明図である。（ｂ）本発明の実施例１の挾着固定具の一方のアームの上端部の取付板が天井に嵌着された状態を説明する説明図である。
【図１１】本発明の実施例１の挾着固定具の作用を説明する説明図である。
【図１２】本発明の実施例１の挾着固定具の作用を説明する説明図である。
【図１３】本発明の実施例１の挾着固定具の作用を説明する説明図である。
【図１４】本発明の実施例１の挾着固定具の作用を説明する説明図である。
【図１５】本発明の実施例１の挾着固定具の作用を説明する説明図である。
【図１６】本発明の実施例１の挾着固定具の作用を説明する説明図である。
【図１７】本発明の実施例１の挾着固定具の作用を説明する説明図である。
【図１８】（ａ）従来のローラーキャッチ錠の１例の作用を説明する説明図である。（ｂ）従来のローラーキャッチ錠の１例の作用を説明する説明図である。
【図１９】本発明の実施例２の挾着固定具の作用を説明する説明図である。
【図２０】本発明の実施例２の挾着固定具の作用を説明する説明図である。
【符号の説明】
【０１０３】
１      本体
１１    取付板
１１ａ  円孔
１１ｂ  円孔
１１ｃ  円孔
１１ｄ  円孔
１１ｅ  円孔
１２    取付板
１２ａ  円孔
１２ｂ  円孔
１２ｃ  円孔
１２ｄ  円孔
１２ｅ  円孔
１３    磁性体板
１３ａ  凸部
１３ｂ  凸部
１３ｃ  凸部
１３ｄ  凸部
１３ｅ  凸部
１４    磁性体板
２      基部
２０    本体
２１    基板
２１ａ  磁性体部分
２１ｂ  非磁性体部分
２２    ガイド面
２２ａ  曲面
２２ｂ  曲面
２３    取付部
２３ａ  凸部
２３ｂ  凸部
２３ｃ  凸部
２３ｄ  凸部
２３ｅ  凸部
２４    上蓋体
２４ａ  切欠部
２５    下蓋体
３      可動部
３０    基板
３０ａ  窓
３１    上板
３１ａ  凸部
３１ｂ  円孔
３１ｃ  凸部
３１ｄ  円孔
３２ａ  凸部
３２ｂ  円孔
３２ｃ  凸部
３２ｄ  円孔
３２    下板
３３    ローラー
３３ａ  軸
３４    ローラー
３４ａ  軸
３５    補助ローラー
３５ａ  軸
３６    補助ローラー
３６ａ  軸
４      本体
４１ａ  円孔
４１ｂ  円孔
４１ｃ  円孔
４１ｄ  円孔
４１ｅ  円孔
５      基部
５０    本体
５１    基板
５１ａ  磁性体部分
５１ｂ  非磁性体部分
５２    ガイド面
５２ａ  曲面
５２ｂ  曲面
５３    取付部
５３ａ  凸部
５３ｂ  凸部
５３ｃ  凸部
５３ｄ  凸部
５３ｅ  凸部
５４    上蓋体
５５    下蓋体
６      可動部
６０    基板
６０ａ  窓
６１    上板
６２    下板
６３    ローラー
６４    ローラー
６５    補助ローラー
６６    補助ローラー
７１    取付板
８１    取付板
Ａ      挾着固定具
Ａ１    アーム
Ａ２    挾着用端部
Ａ３    アーム
Ａ４    挾着用端部
Ａａ    挟着腕
Ａｂ    挟着腕
Ｂ      挾着固定具
Ｂ１    アーム
Ｂ２    挾着用端部
Ｂ３    アーム
Ｂ４    挾着用端部
Ｂａ    挟着腕
Ｂｂ    挟着腕
Ｂｔ    ボトル
Ｃ      挟着固定具
Ｃ１    アーム
Ｃ２    挾着用端部
Ｃ３    アーム
Ｃ４    挾着用端部
ＣＣ    コーヒーカップ
Ｃａ    挟着腕
Ｃｂ    挟着腕
Ｄ      挾着固定具
Ｄ１    アーム
Ｄ２    挾着用端部
Ｄ３    アーム
Ｄ４    挾着用端部
Ｄａ    挟着腕
Ｄｂ    挟着腕
ＤＧ    グラス
ＨＰ１  保温プレート
ＨＰ２  保温プレート
ＨＰ３  保温プレート
Ｐ      鍋
Ｐａ    くびれ部
Ｓ１    サーバー
Ｓ１ａ  くびれ部
Ｓ２    サーバー
Ｓ２ａ  くびれ部
Ｓｈ    棚
Ｔ      凸部
Ｔｇ    凸部グループ
Ｗ      ワゴン
Ｗ１    最下段
Ｗ２    中段
Ｗ２ｆ  床
Ｗ２ｓ  天井
Ｗ２ｓｈ  孔
Ｗ３    最下段
Ｗ３ｆ  床
Ｗａ    壁面
ａ１    アーム
ａ２    アーム
ｂ      本体
ｃ      受部
ｃ１    本体
ｃ２    取付部
ｄ      ドア
ｒ１    ローラー
ｒ２    ローラー
ｒｃ    ローラーキャッチ錠
ｔ      凸部
ｔａ    先端部
ｔｂ    支部
ｘ１    方向
ｘ２    方向
ｙ１    方向
ｙ２    方向
ｚ１    方向
ｚ２    方向
α１    距離
α２    距離
α３    距離
α４    距離
α５    距離
α６    距離
α７    距離
β１    距離
β２    距離
β３    距離
β４    距離
β５    距離
β６    距離
β７    距離
γ      方向
δ      方向
σ      直径
【図１】
2006325626.tif 000003
【図２】
2006325626.tif 000004
【図３】
2006325626.tif 000005
【図４】
2006325626.tif 000006
【図５】
2006325626.tif 000007
【図６】
2006325626.tif 000008
【図７】
2006325626.tif 000009
【図８】
2006325626.tif 000010
【図９】
2006325626.tif 000011
【図１０】
2006325626.tif 000012
【図１１】
2006325626.tif 000013
【図１２】
2006325626.tif 000014
【図１３】
2006325626.tif 000015
【図１４】
2006325626.tif 000016
【図１５】
2006325626.tif 000017
【図１６】
2006325626.tif 000018
【図１７】
2006325626.tif 000019
【図１８】
2006325626.tif 000020
【図１９】
2006325626.tif 000021
【図２０】
2006325626.tif 000022